(57)【特許請求の範囲】
【請求項１】
第１及び第２の映像信号と、第１及び第２の係数信号とが、入力され、第１の映像信号と第１の係数信号との乗算値と、第２の映像信号と第２の係数信号との乗算値とを、処理して、第１及び第２の映像信号の合成映像信号を生成する映像合成手段を、有し、
第１及び第２の係数信号は、入力された引数の変化に従って変化し、前記引数の変化に従って、第１の係数信号は値が最小値から最大値まで変化するとともに、第２の係数信号は値が最大値から最小値まで変化し、第１及び第２の係数信号は、所定の引数において互いの値が交差し、この交差する第１及び第２の係数信号の値を変更手段が、変更する映像効果装置。
【請求項２】
請求項１記載の映像効果装置において、第１及び第２の係数信号は、交差した後、勾配が変化する映像効果装置。
【請求項３】
請求項１記載の映像効果装置において、前記引数を手動操作によって変化させる操作部が設けられている映像効果装置。
【請求項４】
請求項１記載の映像効果装置において、時間経過に従って自動的に前記引数を変化させる引数変更手段が設けられている映像効果装置。
【請求項５】
請求項１記載の映像効果装置において、前記映像合成手段は、第１の映像信号と第１の係数信号との乗算値と、第２の映像信号と第２の係数信号との乗算値とを加算して出力する映像効果装置。
【請求項６】
請求項１記載の映像効果装置において、前記映像合成手段は、第１の映像信号と第１の係数信号との乗算値と、第２の映像信号と第２の係数信号との乗算値とを比較して、値の大きいものに対応する第１または第２の映像信号を出力する映像効果装置。
【請求項７】
請求項１、５または６記載の映像効果装置において、前記映像合成手段は、第１及び第２の映像信号の輝度信号を処理する映像効果装置。
【請求項８】
第１及び第２の映像信号と、第１、第２、第３及び第４の係数信号とが入力され、
前記第１の映像信号の輝度信号と前記第１の係数信号との乗算値と、
前記第２の映像信号の輝度信号と前記第２の係数信号との乗算値と、
前記第１の映像信号の色差信号と前記第３の係数信号との乗算値と、
前記第２の映像信号の色差信号と前記第４の係数信号との乗算値と、を処理して、
前記第１及び第２の映像信号の合成映像信号を生成する処理手段と、
入力された引数の変化に従って、
前記第１、第３の係数信号は値が最小値から最大値まで変化するとともに、
前記第２、第４の係数信号は値が最大値から最小値まで変化し、
前記第１及び第２の係数信号は所定の引数において互いの値が交差し、
前記第３及び第４の係数信号は前記所定の引数において互いの値が交差し、
前記交差する第３及び第４の係数信号の値とは独立して、
前記交差する第１及び第２の係数信号の値を変更する変更手段と、を備え、
前記処理手段は、
前記第１の映像信号の輝度信号と前記第１の係数信号との乗算値と、
前記第２の映像信号の輝度信号と前記第２の係数信号との乗算値とを加算し、
前記第１の映像信号の色差信号と前記第３の係数信号との乗算値と、
前記第２の映像信号の色差信号と前記第４の係数信号との乗算値とを加算して出力する、または、前記第１の映像信号の輝度信号と前記第１の係数信号との乗算値と、
前記第２の映像信号の輝度信号と前記第２の係数信号との乗算値とを比較して、
値の大きいものに対応する前記第１または第２の映像信号を出力することを特徴とする映像効果装置。
【発明の詳細な説明】
【技術分野】
【０００１】
本発明は、一方の映像から他方の映像に、映像切換効果を付与しながら切り換える映像効果装置に関し、特に、付与する映像切換効果を種々に変更することができるものに関する。
【背景技術】
【０００２】
映像効果装置によって得られる映像切換効果としては種々のものがある。例えば非特許文献１には、映像切換効果として、ＭＩＸが開示されている。非特許文献２には、映像切換効果として、ＦＡＭ（Ｆｕｌｌ−Ａｄｄｉｔｉｖｅ  Ｍｉｘ）と、ＮＡＭ（Ｎｏｎ−Ａｄｄｉｔｉｖｅ  Ｍｉｘ）とを使用可能であることが開示されている。
【０００３】
【非特許文献１】Ｖ−４  ４チャンネルビデオミキサ取扱説明書第１６頁  ローランド株式会社  発行
【非特許文献２】Grass  ValleyModel 4000  Series Component  Digital  Production Switchers  カタログ  Tektronik  社  発行
【発明の開示】
【発明が解決しようとする課題】
【０００４】
これら複数の映像切換効果のうち、所望のものが選択されて付与される。ＭＩＸやＦＡＭを付与する場合、一方の映像に第１の混合比を乗算し、他方の映像に第２の混合比を乗算し、これら乗算値を加算する。ＭＩＸでは、第１の混合比は最小値から最大値まで線形で経時的に増加し、第２の混合比は最大値から最小値まで線形で経時的に減少する。ＦＡＭの場合、第１の混合比は、最大値を一定期間維持し、その後に最小値まで経時的に減少し、第２の混合比は、最小値から一定期間の間に最大値まで経時的に増加し、その後、最大値を維持する。このようにＭＩＸやＦＡＭは、共に混合比を使用しているにも拘わらず、特定の変化しかしないものを使用しているので、得られる映像切換効果が限定的であった。ＮＡＭにおいても特定の変化しかしない混合比を使用しているの、同様な問題が生じている。
【０００５】
本発明は、２つの映像を混合する際に使用する混合比を変化させて、種々の映像切換効果を得ることを目的とする。
【課題を解決するための手段】
【０００６】
本発明の一態様の映像効果装置は、映像合成手段を有している。この映像合成手段は、第１及び第２の映像信号と、第１及び第２の係数信号とが、入力され、第１の映像信号と第１の係数信号との乗算値と、第２の映像信号と第２の係数信号との乗算値とを、処理して、第１及び第２の映像信号の合成映像信号を生成する。映像合成手段が行う処理としては、例えば、上記２つの乗算値を加算するものや、２つの乗算値を比較して、値の大きい第１または第２の映像信号を出力するものがある。この処理は、第１及び第２の映像信号の１フレーム分の各画素に対して行われ、加算や比較は、対応する画素に対して行われる。第１及び第２の係数信号は、第１及び第２の係数信号の値が、入力された引数の変化に従って変化する。第１の係数信号は、前記引数の変化に従って値が最小値から最大値まで変化し、第２の係数信号は、前記引数の変化に従って値が最大値から最小値まで変化し、第１及び第２の係数信号は、所定の引数において互いの値が交差する。この交差する第１及び第２の係数信号の値を変更手段が、変更する。
【０００７】
このように構成すると、第１及び第２の係数信号の勾配を変化させることができる。従って、ＭＩＸ、ＦＡＭ、ＮＡＭのような映像切換効果だけでなく、これらと類似するが、異なる映像切換効果を得ることができる。
【０００８】
第１及び第２の係数信号は、交差した後、勾配を変化させることができる。この勾配の変化は、例えば交差する前よりも勾配を急にすることもできるし、緩やかにすることもできる。
【０００９】
このように構成すると、さらに従来のものとは異なった映像切換効果を得ることができる。
【００１０】
手動操作によって前記引数を変化させる操作部を設けることもできる。このように構成すると、ユーザーの好みに応じて映像切換効果付与状態を変化させることができる。
【００１１】
或いは、時間経過に従って自動的に前記引数を変化させる引数変更手段を設けることもできる。このように構成すると、時間経過に従って映像切換効果の付与状態を変化させることができる。
【００１２】
前記映像合成手段は、第１の映像信号と第１の係数信号との乗算値と、第２の映像信号と第２の係数信号との乗算値とを加算して出力するものとできる。これによって、ＭＩＸやＦＡＭを含む様々な映像切換効果を得ることができる。或いは、映像合成手段は、第１の映像信号と第１の係数信号との乗算値と、第２の映像信号と第２の係数信号との乗算値とを比較して、値の大きい乗算値に対応する第１または第２の映像信号を出力するものとできる。このように構成すると、ＮＡＭを含み、これに類似した種々の映像切換効果を得ることができる。
【００１３】
或いは、前記映像合成手段は、第１及び第２の映像信号の輝度信号を処理するものにできる。輝度信号以外に、映像信号の色差信号を処理することもできるが、輝度信号を処理した方がより顕著に映像切換効果を認識することができる。なお、輝度信号を上述したように第１及び第２の係数信号と乗算し、乗算値を加算する処理を行う場合、色差信号にも係数信号を乗算して加算を行うが、第１の映像信号の色差信号に対する係数信号は最小値から最大値に線形に増加するものとし、第２の映像信号の色差信号に対する係数信号は、最大値から最小値に線形に減少するものとし、これら係数信号の勾配の絶対値が等しいものとすることができる。
【発明の効果】
【００１４】
以上のように、本発明によれば、従来とは異なった映像切換効果を得ることができ、しかもその映像切換効果は、容易に得ることができる。
【発明を実施するための最良の形態】
【００１５】
本発明の１実施形態の映像効果装置は、図１に示すビデオミキサ２である。このビデオミキサ２は、複数、例えば８台の映像信号生成手段、例えば４台のビデオカメラ４、２台のビデオプレーヤ６及び２台のＤＶＤプレーヤ８からの映像信号を種々に編集し、その編集結果を映像記録手段、例えばビデオレコーダ１０に記録する。このビデオレコーダ１０に記録された編集結果は、表示手段、例えばビデオモニタ１２に表示される。
【００１６】
ビデオミキサ２は、例えば図２に示すように、ＣＰＵ１４を有している。ＣＰＵ１４は、バス１６を介してグラフィックアクセラレータ１８に指示を与える。グラフィックアクセラレータ１８は、合計で８台のビデオカメラ４、ビデオプレーヤ６及びＤＶＤプレーヤ８からのアナログ映像信号をＡ／Ｄ変換器２０によってデジタル変換したデジタル映像信号を入力し、ＣＰＵ１４からの指示に従ってデジタル処理、例えば編集処理を行って、編集されたものをＤ／Ａ変換器２２によってアナログ映像信号に変換してビデオレコーダ１０に供給する。
【００１７】
グラフィックアクセラレータ１８が行う編集処理のうち、本願発明に関連するものとして、２つの映像の切換がある。この映像の切換の最中に付与される映像切換効果には複数の種類があり、そのうちのいずれのものを使用するかは、ＣＰＵ１４から指示される。
【００１８】
グラフィックアクセラレータ１８がデジタル処理をする際や、ＣＰＵ１４がグラフィックアクセラレータ１８に指示を与える際に、ワークエリアとして、バス１６に接続されている内部メモリ２４が使用される。ＣＰＵ１４がグラフィックアクセラレータ１８に指示を与えるためのデータは、ユーザーインターフェース２６やシリアルインターフェース２８を介してユーザーが与える。
【００１９】
図３は、ビデオミキサ２のＣＰＵ１４、グラフィックアクセラレータ１８等が実行する機能をブロックダイアグラムで示したものである。上述した合計で８台のビデオカメラ４、ビデオプレーヤ６及びＤＶＤプレーヤ８からのアナログ映像信号は、８台の入力端子３０を介して２つの入力選択スイッチ３２、３２に並列に供給される。各入力選択スイッチ３２、３２それぞれで１つ選択されたアナログ映像信号が、Ａ／Ｄ変換器２０、２０においてデジタル映像信号に変換され、それぞれフレームメモリ３４ａ、３４ｂに記憶される。なお、デジタル映像信号は、その輝度デジタル映像信号と色差デジタル信号とからなり、それぞれがフレームメモリ３４ａ、３４ｂに記憶される。図２に示すようにＡ／Ｄ変換器２０は１台だけ設けられているが、これは２チャンネル仕様のものである。フレームメモリ３４ａ、３４ｂは、例えば内部メモリ２４上に形成される。これらフレームメモリ３４ａ、３４ｂは、各入力選択スイッチ３２、３２で選択された２つの１フレーム分の映像の同期を合わせるためのものである。フレームメモリ３４ａ、３４ｂにおいて同期をとるために使用する同期信号は、ビデオミキサ２の内部で作成することもできるし、外部同期端子をビデオミキサ２が備えている場合、外部同期端子を介して外部から同期信号を入力することもできる。
【００２０】
フレームメモリ３４ａ、３４ｂ上の２つのデジタル映像信号は、映像切換効果手段、例えばビデオミックスエフェクト部３６に供給される。ビデオミックスエフェクト部３６は、グラフィックアクセラレータ１８によって構成され、本願発明に関連した処理として２つのデジタル映像信号のうち一方から他方に切り換える処理を行う。この処理をどのような態様（使用する映像切換効果の種類、映像切換効果の付与状態）で行うかの指示が操作子３８によって与えられる。操作子３８については後述する。ビデオミックスエフェクト部３６によって編集された後のデジタル映像信号は、出力フェーダ４０によって出力レベルが調整された後、Ｄ／Ａ変換器２２によってアナログ映像信号に変換されて、出力端子４２からビデオレコーダ１０に供給される。
【００２１】
図４は、ビデオミキサ２の筐体４２を示したもので、図を簡略化するために本願発明に関連する操作部分のみを示してある。上述した２つの入力選択スイッチ３２、３２のそれぞれが８つの操作ボタンからなる選択操作部３２ａ、３２ａが筐体４２の上面に設けられている。また、出力フェーダ４０の操作子４０ａも筐体４２の上面に設けられている。
【００２２】
さらに、操作子３８の一部をなすＴバー４４が筐体４２の上面に設けられている。Ｔバー４４は、Ｔ字状の操作子４４ａを有し、これが図示していない基準位置から直線上に配置された複数、例えば８つの操作位置４６ａ乃至４６ｈに順に移動する。
【００２３】
また、操作子３８の残りの部分をなすものとして、変更手段、例えば操作部５０が設けられている。この操作部５０は、後述する混合比の勾配を調整するためのものである。また、図示していないが、後述する映像切換効果を選択するための操作子も操作子３８として設けられている。
【００２４】
これら操作子３８の操作によって与えられた指示は、ユーザーインターフェース２６を介してＣＰＵ１４に与えられる。また、これら操作子３８の操作以外に、外部に設けられたコントローラ（図示せず）からの指示もＣＰＵ１４に与えられる。そのために、シリアルインターフェース２８が設けられている。
【００２５】
ビデオミックスエフェクト部３６において行われる映像切換について説明する。なお、説明を簡略化するために、フレームメモリ３４ａ、３４ｂに記憶されているデジタル映像信号は、輝度デジタル信号のみであるとする。ビデオミックスエフェクト部３６は、映像切換効果として、フレームメモリ３４ａの映像ａの１フレームの各画素に第１の混合比Ａを乗算し、フレームメモリ３４ｂの１フレームの映像ｂの各画素に第２の混合比Ｂを乗算し、対応する画素の乗算値を加算して合成映像の各画素として出力する。第１の混合比Ａは概略的に言って増加し、第２の混合比Ｂは概略的に言って減少する。従って、出力される画像は、徐々にフレームメモリ３４ｂの映像ｂからフレームメモリ３４ａの映像ａに切り換えられる。これは、フレームメモリ３４ａ、３４ｂに記憶される映像が順次新たな映像に書き換えられても、変わらない。
【００２６】
Ｔバー４４の操作子４４ａを基準位置から４６ｈに操作することによって、第１の混合比Ａは、概略的に増加し、第２の混合比Ｂは概略的に減少する。即ち、第１及び第２の混合比Ａ、Ｂは、Ｔバー４４の操作子４４ａの位置を引数とする関数で表される。第１の混合比Ａが図５（ｃ）に示すようにＴバー４４の操作子４４ａの基準位置から操作位置４６ｈまでの操作に従って、混合比最小値から混合比最大値まで一定の勾配で増加し、第２の混合比Ｂが第１の混合比Ａの勾配と絶対値が同じ勾配で減少する場合が、いわゆるＭＩＸである。図５（ｅ）に示すようにＴバー４４の操作子４４ａが基準位置から中央の操作位置４６ｄまで操作される間、第１の混合比Ａが混合比最小値から混合比最大値まで増加し、第２の混合比Ｂが混合比最大値を維持し、操作位置４６ｄから操作位置４６ｈまで操作される間に、第１の混合比Ａが混合比最大値を維持し、第２の混合比Ｂが混合比最大値から混合比最小値まで減少する場合が、いわゆるＦＡＭである。
【００２７】
従来、第１及び第２の混合比Ａ、Ｂを、図５（ｃ）に示すものとするか、同図（ｅ）に示すものとするかの２種類で切り換えていた。しかし、第１及び第２の混合比Ａ、Ｂの勾配を種々に変更すれば、それに伴ってＭＩＸやＦＡＭ以外の映像切換効果を得ることができる。そこで、この実施形態では、操作部５０を操作することによって、例えば図５（ａ）乃至（ｅ）に示すように第１及び第２の混合比Ａ、Ｂの勾配を変化させている。
【００２８】
操作部５０は、図５に示すように、操作最小位置ＭＩＮから操作最大位置ＭＡＸまで操作可能である。図５（ａ）に示すように、操作最小位置ＭＩＮにある場合には、Ｔバー４４の操作子４４ａが基準位置から中央の操作位置４６ｄまで操作される間、第１の混合比Ａは混合比最小値を維持し（勾配は零である）、第２の混合比Ｂは混合比最大値から混合比最小値まで一定の勾配で減少する。Ｔバー４４の操作子４４ａが操作位置４６ｄから操作位置４６ｈまで操作される間、第１の混合比Ａは混合比最小値から混合比最大値まで一定の勾配（第２の混合比Ｂの勾配と絶対値が同じ）で増加し、第２の混合比Ｂは、混合比最小値を維持する（勾配は零である）。この場合、第１及び第２の混合比Ａ、Ｂは、Ｔバー４４の中央位置である操作位置４６ｄにおいて、混合比最小値で交差する。
【００２９】
操作部５０が同図（ｃ）に示すように操作最小位置ＭＩＮと操作最大位置ＭＡＸとの中間の操作中間位置にある場合には、上述したように第１の混合比Ａが操作子４４ａの基準位置から操作位置４６ｈまでの操作に従って、混合比最小値から混合比最大値まで一定の勾配で増加し、第２の混合比Ｂが混合比最大値から混合比最小値まで第１の混合比Ａの勾配と同じ勾配（絶対値が同じ）で減少する。この場合、第１及び第２の混合比Ａ、Ｂは混合比最大値と混合比最小値との中央の値である混合比中央値で交差する。交差位置は、Ｔバー４４の中央位置である操作位置４６ｄに対応する。
【００３０】
操作部５０が、同図（ｂ）に示すように操作最小位置ＭＩＮと操作中間位置との間にある場合には、第１の混合比Ａは、Ｔバー４４の操作子４４ａの基準位置から中央操作位置４６ｄまでの操作に従って、混合比最小値から、操作部５０の操作位置によって定められる値（混合比中央値よりも小さく混合比最小値よりも大きい値）まで一定の勾配で増加し、第２の混合比Ｂは、混合比最大値から、操作部５０の操作位置によって定められる上記の値まで、第１の混合比の勾配よりも急峻な一定の勾配で減少する。Ｔバー４４の操作子４４ａが操作位置４６ｄから操作位置４６ｈまで操作される間、第１の混合比Ａは操作部５０の操作位置によって定められる値から混合比最大値まで一定の勾配（基準位置から操作位置ｄまでの第１の混合比Ａの勾配よりも急峻な勾配で、第２の混合比Ｂの基準位置から操作位置ｄまでの第１の混合比Ｂの勾配と絶対値が同じ）で増加する。第２の混合比Ｂは、操作部５０の操作位置によって定められる値から混合比最小値まで一定の勾配（基準位置から操作位置４６ｄまでの第２の混合比Ｂの勾配よりも緩やかな勾配で、基準位置から操作位置４６ｄまでの第１の混合比Ａの勾配と絶対値が同じ）で減少する。この場合、上述したように、第１及び第２の混合比Ａ、Ｂは、操作部５０の操作位置によって定められた、混合比中央値よりも小さく混合比最小値よりも大きい値で交差する。そのときの交差位置は、Ｔバー４４の中央の操作位置４６ｄに対応する。
【００３１】
操作部５０が同図（ｅ）に示すように操作最大位置ＭＡＸにある場合には、上述したように、第１の混合比Ａは、Ｔバー４４の操作子４４ａの基準位置から中央操作位置４６ｄまで操作される間、混合比最小値から混合比最大値まで一定の勾配で増加し、第２の混合比Ｂは、混合比最大値を維持する。Ｔバー４４の操作子４４ａが操作位置４６ｄから操作位置４６ｈまで操作される間、第１の混合比Ａは混合比最大値を維持し、第２の混合比Ｂは混合比最大値から混合比最小値まで一定の勾配（第１の混合比Ａの勾配と絶対値が同じ）で減少する。この場合、上述したように、第１及び第２の混合比Ａ、Ｂは、混合比最大値で交差する。そのときの交差位置は、Ｔバー４４の操作子４４ａの中央の操作位置４６ｄに対応する。
【００３２】
操作部５０が同図（ｄ）に示すように操作中間位置と操作最大位置ＭＡＸとの間にある場合には、第１の混合比Ａは、Ｔバー４４の操作子４４ａの基準位置から操作位置４６ｄまでの操作に従って、混合比最小値から、操作部５０の操作位置によって定められる値（混合比中央値よりも大きく混合比最大値よりも小さい値）まで、一定の勾配で増加し、第２の混合比Ｂは、混合比最大値から、操作部５０の操作位置によって定められる上記値まで一定の勾配（第１の混合比Ａの勾配と絶対値が同じ）で減少する。Ｔバー４４の操作子４４ａが操作位置４６ｄから操作位置４６ｈまで操作される間、第１の混合比Ａは操作部５０の操作位置によって定められる値から混合比最大値まで一定の勾配（基準位置から操作位置４６ｄまでの第１の混合比Ａの勾配よりも緩やかな勾配）で増加し、第２の混合比Ｂは、操作部５０の操作位置によって定められる値から混合比最小値まで一定の勾配（基準位置から操作位置ｄまでの第２の混合比Ｂの勾配よりも急峻な勾配で、基準位置から操作位置４６ｄまでの第１の混合比Ａの勾配と絶対値が同じ）で減少する。この場合、上述したように、第１及び第２の混合比Ａ、Ｂは、操作部５０の操作位置によって定められた、混合比中央値よりも大きく混合比最大値よりも小さい値で交差する。そのときの交差位置は、Ｔバー４４の操作子４４ａの中央の操作位置４６ｄに対応する。
【００３３】
このように、操作部５０の操作最小位置ＭＩＮから操作最大位置ＭＡＸまでの連続的な操作に従って、第１及び第２の混合比Ａ、Ｂの交差位置が、混合比最小値から混合比最大値まで連続的に変化し、これに伴って第１及び第２の混合比Ａ、Ｂの勾配が変化する。第１及び第２の混合比が混合比最大値及び混合比最小値間で変化する必要があるので、図５（ｃ）に示す交差位置が混合比中間値である場合を除いて、交差位置の前後において、勾配は変化している。
【００３４】
上記の説明は、輝度デジタル信号についてのものであるが、色差デジタル信号についても同様に変化させることもできるし、或いは図５（ｃ）に示した第１及び第２の混合比Ａ、Ｂと同様に、フレーメモリ３４ａの映像の色差デジタル信号についての混合比信号は混合比最小値から混合比最大値まで一定の勾配で増加させ、フレームメモリ３４ｂの映像の色差デジタル信号についての混合比信号は混合比最大値から混合比最小値まで一定の勾配（フレームメモリ３４ｂの映像の色差デジタル信号についての混合比と絶対値が同じ）で減少させることもできる。
【００３５】
また、上記の説明は、フレームメモリ３４ａの各画素の輝度デジタル信号と第１の混合比Ａとの乗算値と、フレームメモリ３４ｂの各画素の輝度デジタル信号と第２の混合比Ｂとの乗算値とを算出し、対応する画素の乗算値同士を加算して出力するＭＩＸまたはＦＡＭ系統の映像切換効果であるが、対応する画素の乗算値同士を比較し、値の大きい輝度デジタル信号を選択して出力するＮＡＭ系統の映像切換効果もこの実施形態では、行える。この場合、色差デジタル信号については、選択された輝度デジタル信号に対応するものを出力する。
【００３６】
これらのような映像切換効果を得るために、ＣＰＵ１４が行う処理を説明する。図６に示すように、ビデオミキサ２に電源が供給されたとき、まず初期化が行われ（ステップＳ２）、次に初期映像が設定される（ステップＳ４）。ステップＳ２、Ｓ４の処理は、本願発明には関連しないので、詳細な説明は省略する。
【００３７】
次に、入力選択スイッチ３２、３２、出力フェーダ４０、Ｔバー４４、操作部５０等の操作子３８が操作されているか判断する（ステップＳ６）。この判断の答えがイエスの場合、入力選択スイッチ３２、３２の操作による入力映像の切換が行われているか判断する（ステップＳ８）。この判断の答えがイエスの場合、入力選択スイッチ３２、３２の操作に従って入力映像の切換が行われ（ステップＳ１０）、再びステップＳ６の処理を実行する。ステップＳ８の判断の答えがノーの場合、操作子３８の操作によってトランジッション（映像切換効果）を切り換えたか判断する（ステップＳ１２）。この判断の答えがイエスの場合、トランジッション切換処理を行い（ステップＳ１４）、ステップＳ６の処理を再び実行する。
【００３８】
ステップＳ６の判断の答えがノーの場合、シリアルコマンドが入力されているか判断する（ステップＳ１６）。即ち、このビデオミキサ２の外部からシリアル伝送で、操作子３８の操作に対応する指示が与えられているか判断する。この判断の答えがイエスの場合、ステップＳ８以降の処理を行い、この判断の答えがノーの場合には、再びステップＳ６の処理を実行する。
【００３９】
トランジッション切換処理では、図７に示すように、まず所定時間、例えば１フィールド（ＮＴＳＣ方式では１／６０秒、ＰＡＬ方式では１／５０秒）にわたって待機が行われる（ステップＳ１８）。これは、急激に映像の切換が行われて、映像を見た者に違和感を与えることを防止するためである。次に、Ｔバー４４の操作子４４ａが動いているか判断する（ステップＳ２０）。この判断の答えがノーの場合、操作部５０が操作されているか判断する（ステップＳ２２）。この判断の答えがノーの場合、ステップＳ１８から再び実行する。
【００４０】
ステップＳ２０または２２の判断の答えがイエスの場合、映像切換効果として、ＭＩＸ１が指定されているか判断する（ステップＳ２４）。ＭＩＸ１は、上述したように輝度デジタル信号と混合比との乗算値を加算するＭＩＸやＦＡＭ系統の映像切換効果である。
【００４１】
ステップＳ２４の判断の答えがイエスの場合、図８に示すように、Ｔバー４４の操作位置を測定し、その位置をＴｐｏｓｉとして記憶する（ステップＳ２６）。Ｔｐｏｓｉの値は、操作子４４ａが基準位置にあるとき０ｘ００（十進数で０）で、操作子４４ａが操作位置４６ｈにあるとき０ｘＦＦ（十進数で２５５）である。従って、Ｔｐｏｓｉの値は、操作子４４ａの操作に応じて０ｘ００から０ｘＦＦまで変化する。
【００４２】
次に、操作部５０の操作位置を測定し、その位置をＣｐｏｓｉとして記憶する（ステップＳ２８）。Ｃｐｏｓｉの値も、操作最小位置にあるとき０ｘ００であり、操作最大位置にあるとき０ｘＦＦである。従って、Ｃｐｏｓｉの値も、操作子４４ａの操作に応じて０ｘ００から０ｘＦＦまで変化する。
【００４３】
次に、Ｔｐｏｓｉの値が０ｘ８０（十進数で１２８）より大きいか判断する（ステップＳ３０）。即ち、Ｔバー４４が、第１及び第２の混合比Ａ、Ｂの交差位置としている中央の配置位置４６ｄよりも操作位置４６ｈ側にあるか否かを判断している。この判断の答えがノーの場合、第１の混合比Ａを、Ｔｐｏｓｉ＊Ｃｐｏｓｉ／０ｘ８０によって演算し、混合比Ｂを０ｘＦＦ−（（Ｔｐｏｓｉ＊（０ｘＦＦ−Ｃｐｏｓｉ））／０ｘ８０）によって演算する（ステップＳ３２）。即ち、図９（ａ）に示すように、混合比Ａの勾配をＣｐｏｓｉ／０ｘ８０によって求め、これにＴｐｏｓｉを乗算して混合比Ａを算出している。０ｘＦＦは混合比最大値に相当し、（０ｘＦＦ−Ｃｐｏｓｉ）によって混合比最大値０ｘＦＦからＣｐｏｓｉまでの距離を求め、これを０ｘ８０によって除算することによって混合比Ｂの勾配を求めている。この勾配にＴｐｏｓｉを乗算して、混合比最大値から混合比Ｂまでの距離を求め、この距離を混合比最大値０ｘＦＦから減算することによって混合比Ｂを求めている。
【００４４】
図８に戻って、ステップＳ３０の判断の答えがイエスの場合、Ｔバー４４が、第１及び第２の混合比Ａ、Ｂの交差位置としている中央の配置位置４６ｄよりも操作位置４６ｈ側にあるので、混合比Ａを、（（Ｔｐｏｓｉ−０ｘ７Ｆ）＊（０ｘＦＦ−Ｃｐｏｓｉ））／０ｘ８０＋Ｃｐｏｓｉによって演算し、混合比Ｂを、Ｃｐｏｓｉ−（（Ｔｐｏｓｉ−０ｘ７Ｆ）＊Ｃｐｏｓｉ／０ｘ８０）によって演算している（ステップＳ３４）。即ち、図９（ｂ）に示すように、混合比Ａの勾配を（０ｘＦＦ−Ｃｐｏｓｉ）によって最大混合比からＣｏｓｉまでの距離を求め、これを中央の配置位置４６ｄから操作位置４６ｈまでの距離０ｘ８０によって除算して、混合比Ｂの勾配を求め、これにＴバーの中央位置からの操作距離（Ｔｐｏｓｉ−０ｘ７Ｆ）を乗算してＣｐｏｓｉから混合比Ａまでの距離を求め、この距離にＣｐｏｓｉを加算して混合比Ａを求めている。同様に、混合比Ｂの勾配をＣｐｏｓｉ／０ｘ８０で求め、これに（Ｔｐｏｓｉ−０ｘ７Ｆ）を乗算して、Ｃｐｏｓｉから混合比Ｂまでの距離を求め、この距離をＣｐｏｓｉから減算することによって混合比Ｂを算出している。
【００４５】
このようにして求めた混合比Ａをフレームメモリ３４ａの入力映像Ａの各画素の輝度デジタル信号に乗算し、同じく混合比Ｂをフレームメモリ３４ｂの入力映像Ｂの対応する画素の輝度デジタル信号に乗算し、対応する画素の乗算値を加算して、対応する画素の出力デジタル輝度信号とし、フレームメモリ３４ａの入力映像Ａの各画素の色差デジタル信号にＴｐｏｓｉを乗算し、フレームメモリ３４ｂの入力映像の各画素の色差デジタル信号に（０ｘＦＦ−Ｔｐｏｓｉ）を乗算し、対応する画素の乗算値を加算して、対応する画素の出力デジタル色差信号として出力する（ステップＳ３６）。即ち、図５（ｃ）に示した混合比Ａ、Ｂと同じものを使用している。ステップＳ３６に続いて、再びステップＳ１８から実行する。
【００４６】
ステップＳ２４において、映像切換効果として、ＭＩＸ１が指定されていないと判断されると（ステップＳ２４の判断の答えがノー）ＭＩＸ２の映像切換効果が実行される。ＭＩＸ２の映像切換効果は、上述したＮＡＭ系統の映像切換効果である。
【００４７】
即ち、ＭＩＸ１と同様にして、図１０に示すように、ステップＳ２６、２８、３０、３２、３４が実行されて、混合比Ａ、Ｂが算出される。算出された混合比Ａとフレームメモリ３４ａの各画素のデジタル輝度信号とが乗算され、計算結果が得られ、混合比Ｂとフレームメモリ３４ｂの各画素のデジタル輝度信号とが乗算され、計算結果が得られる（ステップＳ３８）。
【００４８】
次に、互いに対応する画素のフレームメモリ３４ａ側の計算結果がフレームメモリ３４ｂ側の計算結果よりも大きいか判断される（ステップＳ４０）。この判断の結果がイエスである場合、出力デジタル輝度信号としてフレームメモリ３４ａ側の画素のデジタル輝度信号が出力され、出力デジタル色差信号としてフレームメモリ３４ａ側の対応する画素のデジタル色差信号が出力される（ステップＳ４２）。ステップＳ４０の判断の答えがノーの場合、出力デジタル輝度信号としてフレームメモリ３４ｂ側の画素のデジタル輝度信号が出力され、出力デジタル色差信号としてフレームメモリ３４ｂ側の対応する画素のデジタル色差信号が出力される（ステップＳ４４）。
【００４９】
ステップＳ４２または４４が終了すると、再びステップＳ１８から実行される。
【００５０】
上記の実施形態では、混合比Ａ、ＢはＴバー４４の操作子４４ａの操作位置を引数とする線形の１次関数に従って変化させるように構成したが、これに限ったものではなく、操作位置を引数とする関数であれば種々のものを使用することができ、例えば操作子４４ａの操作位置を引数とする二次関数に従って変化させるように構成することもできる。また、上記の実施形態では、ＭＩＸまたはＦＡＭ系統の映像切換効果において、デジタル色差信号は、全て図５（ｃ）に示す２つの混合比Ａ、Ｂによって変化させたが、ステップＳ３２または３４によって算出した混合比Ａ、Ｂを用いて変化させることもできる。なお、上記実施形態では、混合比Ａ、Ｂの交差位置を、Ｔバー４４が丁度中央まで操作された位置４６ｄとしているが、Ｔバー４４の他の操作位置を交差位置とすることもできる。また、上記の実施形態では、Ｔバー４４の手動操作によって混合比Ａ、Ｂを定める関数の引数を変化させたが、これに限ったものではなく、例えばシリアルインターフェースを２８を利用して、外部から混合比Ａ、Ｂを定める関数の引数を変化させることもできるし、或いは、所定の周期ごとにタイミング信号を発生するタイミング信号発生部を設け、このタイミング信号発生部が発生するタイミング信号をカウンタでカウントし、このカウント値に従って混合比Ａ、Ｂを定める関数の引数を変化させることもできる。同様に、操作部５０の手動操作に代えて、シリアルインターフェースを２８を利用して、外部からＣｐｏｓｉを変化させることもできるし、上述したタイミング信号発生部及びカウンタを用いてＣｐｏｓｉを変化させることもできるし、或いは０ｘ００から０ｘＦＦまでの乱数を発生させる乱数発生手段を用いてＣｐｏｓｉを変化させることもできる。
【図面の簡単な説明】
【００５１】
【図１】本発明の１実施形態のビデオミキサの接続状態を示すブロックダイアグラムである。
【図２】図１のビデオミキサのブロックダイアグラムである。
【図３】図１のビデオミキサの機能ブロック図である。
【図４】図１のビデオミキサの筐体の部分省略正面図である。
【図５】図１のビデオミキサにおける混合比の変化状態を示す図である。
【図６】図１のビデオミキサのＣＰＵが行う処理を示すフローチャートである。
【図７】図６のトランジッション切換処理の一部を示すフローチャートである。
【図８】図６のトランジッション切換処理におけるＭＩＸ１切換の処理を示すフローチャートである。
【図９】図８のＭＩＸ１切換処理で行われる混合比の算出方法の説明図である。
【図１０】図６のトランジッション切換処理におけるＭＩＸ２切換の処理を示すフローチャートである。
【符号の説明】
【００５２】
２  ビデオミキサ
１４  ＣＰＵ（変更手段）
１８  グラフィックアクセラレータ（映像合成手段）
４４  Ｔバー（操作子）
５０  操作部
【図１】
0005128321.tif 000002
【図２】
0005128321.tif 000003
【図３】
0005128321.tif 000004
【図４】
0005128321.tif 000005
【図５】
0005128321.tif 000006
【図６】
0005128321.tif 000007
【図７】
0005128321.tif 000008
【図８】
0005128321.tif 000009
【図９】
0005128321.tif 000010
【図１０】
0005128321.tif 000011